(57)【特許請求の範囲】
【請求項１】
ツイッターで投稿するツイートの作成を補助するツイート作成補助装置であって、
処理装置を備え、
前記処理装置は、ユーザの周囲環境を検出し、検出結果に基づいて、ユーザにツイートの作成を促す出力を行い、
前記処理装置は、ユーザの周囲環境の変化を検出したときに、検出した周囲環境の変化に関するツイートの作成をユーザに促す出力を行うことを特徴とする、ツイート作成補助装置。
【請求項２】
表示装置を備え、
前記処理装置は、前記ツイートの作成に使用する候補文を、前記表示装置に表示する、請求項１に記載のツイート作成補助装置。
【請求項３】
前記処理装置は、検出した周囲環境に基づいて、前記候補文を作成する、請求項２に記載のツイート作成補助装置。
【請求項４】
前記候補文は、検出した周囲環境に関する文を含む、請求項２に記載のツイート作成補助装置。
【請求項５】
前記候補文は、検出した周囲環境に関する文を複数個含む、請求項４に記載のツイート作成補助装置。
【請求項６】
前記周囲環境は、渋滞に関する、請求項１に記載のツイート作成補助装置。
【請求項７】
前記周囲環境は、観光対象物又は天気に関する、請求項１に記載のツイート作成補助装置。
【請求項８】
前記処理装置は、ユーザにより選択された前記候補文を用いて、ツイートを作成する、請求項２〜５のうちのいずれか1項に記載のツイート作成補助装置。
【請求項９】
前記ユーザにツイートの作成を促す出力は、検出した周囲環境の変化に関する問いかけ又は質問を含む、請求項１〜８のうちのいずれか1項に記載のツイート作成補助装置。
【請求項１０】
当該ツイート作成補助装置は、車両に搭載され、
前記ユーザの周囲環境は、車両の周囲環境である、請求項１〜９のうちのいずれか1項に記載のツイート作成補助装置。
【発明の詳細な説明】
【技術分野】
【０００１】
本発明は、ツイッターで投稿するツイートの作成を補助するツイート作成補助装置に関する。
【背景技術】
【０００２】
従来から、表示装置に表示された定型文の中から所望の定型文をユーザに選択させ、当該選択された定型文を装置に入力する文字入力装置が知られている（例えば、特許文献１参照）。この文字入力装置は、ユーザが頻繁に入力する文章を予め装置内に定型文として登録する機能や、ユーザ自ら定型文を登録する機能を有している。
【先行技術文献】
【特許文献】
【０００３】
【特許文献１】特開2011-191910号公報
【発明の概要】
【発明が解決しようとする課題】
【０００４】
ところで、近年では、Twitter（ツイッター）と呼ばれ、各ユーザが「ツイート」(tweet)
と称される短文を投稿し、これを他のユーザ（例えばフォロワー）が閲覧することができる通信サービスが知られている。【０００５】
本発明は、ツイッターで投稿するツイートの作成を効果的に補助することができるツイート作成補助装置の提供を目的とする。
【課題を解決するための手段】
【０００６】
本発明の一局面によれば、ツイッターで投稿するツイートの作成を補助するツイート作成補助装置であって、
処理装置を備え、
前記処理装置は、ユーザの周囲環境を検出し、検出結果に基づいて、ユーザにツイートの作成を促す出力を行い、
前記処理装置は、ユーザの周囲環境の変化を検出したときに、検出した周囲環境の変化に関するツイートの作成をユーザに促す出力を行うことを特徴とする、ツイート作成補助装置が提供される。

【発明の効果】
【０００７】
本発明によれば、ツイッターで投稿するツイートの作成を効果的に補助することができるツイート作成補助装置が得られる。
【図面の簡単な説明】
【０００８】
【図１】ツイート作成補助装置１の基本構成を示す図である。
【図２】ディスプレイ２０の表示画面の一例を示す図である。
【図３】メニューボタン２４を選択して表示された候補文の一例を示す図である。
【図４】処理装置１０がユーザにツイートの作成を促す出力を行うときのディスプレイ２０の表示画面の一例を示す図である。
【図５】処理装置１０が図４に示したユーザからの回答に基づいて作成するツイートの一例を示す図である。
【図６】本実施例の処理装置１０により実行される主要処理の一例を示すフローチャートである。
【図７】本実施例の処理装置１０により実行されてもよい主要処理の他の一例を示すフローチャートである。
【発明を実施するための形態】
【０００９】
以下、図面を参照して、本発明を実施するための最良の形態の説明を行う。
【００１０】
図１は、ツイート作成補助装置１の基本構成を示す図である。ツイート作成補助装置１は、車両に搭載される。ツイート作成補助装置１は、処理装置１０を含む。
【００１１】
処理装置１０は、ＣＰＵを含む演算処理装置により構成されてもよい。処理装置１０は、ネットワークにアクセスし、ツイートを投稿するツイッター機能を備える。処理装置１０の各種機能（以下で説明する機能を含む）は、任意のハードウェア、ソフトウェア、ファームウェア又はそれらの組み合わせにより実現されてもよい。例えば、処理装置１０の機能の任意の一部又は全部は、特定用途向けＡＳＩＣ（application-specific integrated circuit）、ＦＰＧＡ（Field Programmable
Gate Array）、ＤＳＰ（digital signal processor）により実現されてもよい。また、処理装置１０は、複数の処理装置により実現されてもよい。
【００１２】
処理装置１０には、ディスプレイ２０が接続される。尚、処理装置１０とディスプレイ２０との接続は、有線であっても無線であってもよく、また、直接的な態様であっても間接的な態様であってもよい。また、処理装置１０の機能の一部又は全部がディスプレイ２０内の処理装置（図示せず）により実現されてもよい。
【００１３】
ディスプレイ２０は、液晶ディスプレイやＨＵＤ（ヘッドアップディスプレイ）のような任意の表示装置であってよい。ディスプレイ２０は、車室内の適切な位置（例えば、インストルメントパネルの中央部下側）に配置される。
【００１４】
処理装置１０には、入力装置３０が接続される。尚、処理装置１０と入力装置３０との接続は、有線であっても無線であってもよく、また、直接的な態様であっても間接的な態様であってもよい。
【００１５】
入力装置３０は、任意のユーザインターフェースであり、例えばリモコン、ステアリングホイールに設けられるスイッチ（例えば十字キー）、タッチパネル等であってよい。タッチパネルは、例えばディスプレイ２０に組み込まれていてもよい。また、入力装置３０は、ユーザの発話による入力内容を認識する音声認識装置を含んでよい。
【００１６】
処理装置１０には、ナビゲーション装置４０が接続される。尚、処理装置１０とナビゲーション装置４０との接続は、有線であっても無線であってもよく、また、直接的な態様であっても間接的な態様であってもよい。また、処理装置１０の機能の一部又は全部がナビゲーション装置４０内の処理装置（図示せず）により実現されてもよい。
【００１７】
ナビゲーション装置４０は、車両の自車位置情報や渋滞情報等を取得するＧＰＳ（Global Positioning System）受信機、ビーコン受信機及びＦＭ多重受信機等を含んでよい。また、ナビゲーション装置４０は、ＤＶＤ、ＣＤ−ＲＯＭ等の記録媒体上に地図データを保有する。地図データには、交差点・高速道路の合流点／分岐点に各々対応する各ノードの座標情報、隣接するノードを接続するリンク情報、各リンクに対応する道路の幅員情報、各リンクに対応する国道・県道・高速道路等の道路種別等が含まれてよい。
【００１８】
処理装置１０は、以下で詳説するように、ナビゲーション装置４０からの情報に基づいて周囲環境を検出し、この検出結果に基づいて、ディスプレイ２０を介して、ツイッターで投稿するツイートの作成を補助する。
【００１９】
図２は、ディスプレイ２０の表示画面の一例を示す図である。図２に示す例では、ディスプレイ２０の表示画面上の表示は、状態表示２２と、メニューボタン２４とを含む。状態表示２２には、選択された候補文（後述）や、投稿されたツイートの時系列などが表示されてもよい。メニューボタン２４は、定型文を表示させるためのボタン２４ａと、今の状況に関する候補文を表示させるためのボタン２４ｂと、登録文（又は登録語）を表示させるためのボタン２４ｃとを含む。尚、ディスプレイ２０上に表示されるボタン（例えばボタン２４ａ，２４ｂ，２４ｃ）は、入力装置３０を介して操作されるソフトウェア的（機械的でないという意味）なボタンである。
【００２０】
ユーザは、図２に示す画面上で、入力装置３０を用いてメニューボタン２４内の所望のボタン２４ａ、２４ｂまたは２４ｃを選択することができる。例えば、図２に示す例では、定型文を表示させるためのボタン２４ａが選択表示（ハイライト表示）とされている。ユーザは、定型文を呼び出したい場合は、例えばステアリングスイッチの十字キーの中央（決定操作部）を押下げし、今の状況に関する候補文を呼び出したい場合は、例えばステアリングスイッチの十字キーの下ボタンを１回押してから十字キーの中央を押下げし、登録文を呼び出したい場合は、例えばステアリングスイッチの十字キーの下ボタンを２回押してから十字キーの中央を押下げする。
【００２１】
図３は、メニューボタン２４を選択して表示された候補文の一例を示す図であり、図３（Ａ）は、ボタン２４ａが選択された際に表示される定型文の一例を示し、図３（Ｂ）は、ボタン２４ｂが選択された際に表示される候補文の一例を示し、図３（Ｂ）は、ボタン２４ｃが選択された際に表示される登録文の一例を示す。
【００２２】
定型文は、図３（Ａ）に例示するように、車両でユーザがつぶやくであろう文章を含んでよい。これらの定型文は、予め用意される。定型文は、過去の使用された頻度が高いものから優先的に表示されてもよい。図３（Ａ）に示す例では、ユーザは、所望の定型文が存在する場合、例えばステアリングスイッチの十字キーを操作して所望の定型文のボタンを選択する。また、多数の定型文が複数のページに表示される構成では、ユーザは、現在のページに所望の定型文が存在しない場合、例えばステアリングスイッチの十字キーを操作して、次のページの定型文を呼び出してもよい。
【００２３】
候補文は、図３（Ｂ）に示すように、現在の車両の周囲状況に関連した文を含んでよい。候補文は、例えば現在の時刻や、現在の車両位置の住所（図示の例では、芝公園４丁目）、目的地到着予定時刻（図示の例では、１２時４５分）、渋滞情報（図示の例では、この先、１．５ｋｍ渋滞）、目的地までの距離（図示の例では、１．５ｋｍ）等を含んでよい。これらの情報源は、ナビゲーション装置４０であってよい。即ち、現在の車両位置の住所は、ナビゲーション装置４０の自車位置情報に基づくものであってよく、目的地到着予定時刻や目的地までの距離は、ナビゲーション装置４０上で設定された目的地と地図データに基づくものであってよい。また、目的地到着予定時刻は、渋滞情報が加味されてもよい。また、渋滞情報は、ナビゲーション装置４０で取得したＶＩＣＳ（登録商標）（Vehicle Information and Communication
System）情報等に基づくものであってよい。
【００２４】
現在の車両の周囲状況に関連した候補文は、現在の車両位置周辺の建造物（タワー、ビル、像、トンネル等）、店（ラーメン屋のようなレストラン等）、自然物（山、川、湖等）を含んでよい。また、現在の車両の周囲状況に関連した候補文は、現在走行中の道路名を含んでよい。このような情報についても、ナビゲーション装置４０から取得することができる。
【００２５】
同様に、図３（Ｂ）に示す例では、ユーザは、所望の候補文が存在する場合、例えばステアリングスイッチの十字キーを操作して所望の候補文のボタンを選択する。また、多数の候補文が複数のページに表示される構成では、ユーザは、現在のページに所望の候補文が存在しない場合、例えばステアリングスイッチの十字キーを操作して、次のページの候補文を呼び出してもよい。
【００２６】
登録文は、図３（Ｃ）に示すように、ユーザにより定義される文又は文字を含んでよい。登録文は、入力装置３０を利用して登録されてもよいし、記憶媒体や通信回線を通じてダウンロードされてもよい。
【００２７】
同様に、図３（Ｃ）に示す例では、ユーザは、所望の登録文が存在する場合、例えばステアリングスイッチの十字キーを操作して所望の登録文のボタンを選択する。また、多数の登録文が複数のページに表示される構成では、ユーザは、現在のページに所望の登録文が存在しない場合、例えばステアリングスイッチの十字キーを操作して、次のページの登録文を呼び出してもよい。
【００２８】
処理装置１０は、このようにして選択された候補文等を用いて、最終的に投稿できるようなツイート（短文）を作成する。このツイートの作成は、例えば候補文等の選択後、ディスプレイ２０の表示画面上に用意された自動作成ボタン（図示せず）をユーザが選択することにより実行されてもよい。処理装置１０は、選択された候補文等が２つ以上である場合には、それらを組み合わせて、ツイートを作成する。この際、単に選択された候補文等をつなげてもよいし、或いは、選択された候補文等を編集しつつ結合させてもよい。例えば、定型文「に向かって出発」、候補文「この先１．５ｋｍ渋滞」及び登録文「東京タワー」が選択された場合、単に選択された候補文等をつなげても「東京タワーに向かって出発。この先１．５ｋｍ渋滞」といったツイートを作成してもよいし、或いは、選択された候補文等を編集しつつ結合させて「東京タワーに向かって出発したけど、この先１．５ｋｍ渋滞で遅れそう」といったツイートを作成してもよい。尚、このようにして自動作成されたツイートは、ユーザからの入力装置３０を介した入力に応じて修正されてもよい。また、最終的なツイートの投稿は、ディスプレイ２０の表示画面上に用意された投稿ボタン（図示せず）をユーザが選択することにより実行されてもよい。
【００２９】
ところで、ツイートを行うタイミングはユーザによってまちまちであるが、何かしらのきっかけを与えられるとユーザもツイートしやすくなる。特に車両の運転中は何を発信すればよいかよく分からないユーザも存在しうる。そこで、本実施例では、処理装置１０は、ナビゲーション装置４０からの情報に基づいて周囲環境を検出し、この検出結果に基づいて、ユーザにツイートの作成を促す出力を行う。
【００３０】
図４は、処理装置１０がユーザにツイートの作成を促す出力を行うときのディスプレイ２０の表示画面の一例を示す図である。図４に示す例では、ディスプレイ２０の表示画面上の表示は、メニューボタン２４と、促し表示２６と、音声認識結果表示２８とを含む。
【００３１】
促し表示２６は、現在の車両の周囲状況に関連した問いかけや質問（以下、「問いかけ」で代表する）を含んでよい。図４に示す例では、現在の車両の周辺状況として渋滞区間に入った状況が想定され、この場合、促し表示２６は、「今、渋滞はどう？」といった問いかけからなる。これは、単に「今から何かをツイートしてください」といった、方向性の全く無い態様でツイートの作成を促す出力とは異なり、ユーザにツイートの作成に用いる情報を回答してもらうような出力である。これにより、ユーザは、問いかけに答えるような感覚でツイートを行うことができ、ツイッターに慣れていないユーザにとってもとっつきやすいものとなる。但し、「今からこの渋滞について何かをツイートしてください」のような、車両の周囲状況に関連したツイートの作成を促す出力（ユーザに方向性を与える出力）であってもよい。
【００３２】
図４に示す例では、「今、渋滞はどう？」という問いかけに対して、ユーザが「先頭みえないねぇ」という回答を行った例を示す。この場合、図４に示すように、「先頭みえないねぇ」という音声認識結果が音声認識結果表示２８として出力される。処理装置１０は、このユーザからの回答に基づいて、最終的に投稿できるようなツイートを作成する。このツイートの作成は、例えば音声認識結果表示２８の出力後、ディスプレイ２０の表示画面上に用意された自動作成ボタン（図示せず）をユーザが選択することにより実行されてもよい。
【００３３】
図５は、処理装置１０が図４に示したユーザからの回答に基づいて作成するツイートの一例を示す図である。
【００３４】
図５に示す例では、ユーザからの回答「先頭みえないねぇ」は、「先頭見えない感じ」という部分に使用されている。即ち、ユーザからの回答「先頭みえないねぇ」は、「先頭見えない感じ」のカッコ内の部分を穴埋めする態様で使用される。このように、穴埋めの言葉部分だけ発話してもらう態様でツイートを効率的に作成することができる。尚、図５に示す例で、“Ｒ４０”とは、ユーザ名である。
【００３５】
尚、図５に示す例では、処理装置１０は、ユーザからの回答を編集してツイートを作成しているが、ユーザからの回答をそのまま穴埋めの言葉部分に利用してツイートを作成してもよい。
【００３６】
図６は、本実施例の処理装置１０により実行される主要処理の一例を示すフローチャートである。
【００３７】
ステップ６００では、ナビゲーション装置４０から現在地名（住所等）を取得する。尚、現在地名は、ナビゲーション装置４０の地図データと自車位置情報とに基づいて導出されてもよい。
【００３８】
ステップ６０２では、ナビゲーション装置４０から渋滞情報を取得する。渋滞情報は、例えばＶＩＣＳ（登録商標）からのレベル１（文字情報）であってもよい。
【００３９】
ステップ６０４では、上記ステップ６０２で取得した渋滞情報に基づいて、渋滞の距離が事前に設定した閾値を越えたか否かを判定する。閾値は、固定値であってもよいし、可変値（例えば道路種別に応じた可変値）であってもよい。また、閾値は、ユーザにより任意に設定されてもよい。渋滞の距離が閾値を越えた場合には、ステップ６０６に進み、渋滞の距離が閾値を越えていない場合は、ステップ６０８に進む。尚、渋滞の距離が閾値を越えていない場合は、ステップ６００に戻ってもよい。
【００４０】
ステップ６０６では、渋滞に関してのツイートの作成を促す問いかけを出力する（図４の符合２６参照）。
【００４１】
ステップ６０８では、ナビゲーション装置４０から現在時刻を取得する。
【００４２】
ステップ６１０では、ナビゲーション装置４０から目的地到着時刻を取得する。
【００４３】
ステップ６１２では、上記ステップ６０８，６１０で取得した情報に基づいて、今の状況を表す候補文（図３（Ｂ）参照）を作成する。作成した候補文は、図３（Ｂ）に示すように、ボタンの形態でディスプレイ２０の表示画面上に出力されてもよい。
【００４４】
ステップ６１４では、ディスプレイ２０の表示画面上に出力された各候補文のボタンが選択されたか否かを判定する。ボタンが選択されることなく、所定時間経過した場合には、ステップ６００に戻ってよい。ボタンが選択された場合には、ステップ６１６に進む。尚、ボタンは複数個選択されてもよい（即ち複数個の候補文が選択されてもよい）。
【００４５】
ステップ６１６では、上記ステップ６１６で選択された候補文を貼り付けてツイートを生成し、ユーザに提示する（図５参照）。この際、投稿前のツイートは、ユーザからの入力装置３０を介した入力に応じて修正されてもよい。また、最終的なツイートの投稿は、ディスプレイ２０の表示画面上に用意された投稿ボタン（図示せず）をユーザが選択することにより実行されてもよい。
【００４６】
図６に示す処理では、ステップ６０６にて渋滞に関してのツイートの作成を促す問いかけを出力した後、ナビゲーション装置４０からの情報に基づいて、現在の周囲環境（渋滞）に関する候補文を作成し、ユーザに提示する。これにより、ユーザは、候補文を選択することで（問いかけに回答することで）、ツイート作成の補助を受けることができる。尚、図６に示す処理においても、ステップ６０６にて渋滞に関してのツイートの作成を促す問いかけを出力した後、音声認識装置をオン状態にして、ユーザからの発話による回答を受ける状態を形成してもよい。この場合、ユーザからの発話による回答を受けた場合には、図４及び図５を参照して上述した態様で、ユーザからの回答に基づくツイートを作成することとしてよい。
【００４７】
また、図６に示す処理では、この場合、ステップ６０６にて渋滞に関してのツイートの作成を促す問いかけを出力した後、候補文を作成し、ボタンとして表示しているが、ステップ６０６にて渋滞に関してのツイートの作成を促す問いかけを出力する前に、候補文を作成し、ステップ６０６にて渋滞に関してのツイートの作成を促す問いかけを出力すると同時に、候補文をボタンとして表示することとしてもよい。或いは、図２及び図３等で上述したように、候補文は、今の状況に関する候補文を表示させるためのボタン２４ｂ（図２参照）がユーザにより選択されるまで表示されないこととしてもよい。
【００４８】
尚、図６に示す処理は、渋滞の開始地点（渋滞の発生時点）でツイートの作成を促す問いかけを出力しているが、渋滞の中間地点や終了時点でツイートの作成を促す問いかけを出力してもよい。また、例えば事故渋滞の場合には、事故状況が後続の車両の運転者にとって関心事であることを考慮し、事故現場付近を通過する際に、ツイートの作成を促す問いかけを出力してもよい。
【００４９】
図７は、本実施例の処理装置１０により実行されてもよい主要処理の他の一例を示すフローチャートである。
【００５０】
ステップ７００では、ナビゲーション装置４０からの情報に基づいて、所定の観光対象物がユーザ（典型的には、運転者）の視野内に入ったか否かを判定する。所定の観光対象物は、有名な山、川、湖などの自然物や、有名な人工物（タワー、遺跡等）を含んでよい。所定の観光対象物がユーザの視野内に入った場合には、ステップ７０２に進む。
【００５１】
ステップ７０２では、上記ステップ７００で検出された観光対象物に関してのツイートの作成を促す問いかけを出力する。例えば観光対象物が富士山である場合、「今日の富士山の様子はどう？」といった問いかけを出力する。
【００５２】
ステップ７０４では、上記ステップ７００で検出された観光対象物に関しての候補文を作成する。作成した候補文は、今の状況を表す候補文としてボタンの形態で表示されてもよい（図３（Ｂ）参照）。観光対象物に関して候補文は、任意であり、固定の候補文であってもよいし、可変の候補文であってもよい。例えば観光対象物が富士山である場合、「今日はイマイチよく見えない富士山」、「富士山、絶景！」といった固定の候補文が１つ以上用意されてもよい。
【００５３】
ステップ７０６及びステップ７０８は、図６に示した処理のステップ６１４及びステップ６１８と同様であってよい。
【００５４】
図７に示す処理では、ステップ７０２にて観光対象物に関してのツイートの作成を促す問いかけを出力した後、同観光対象物に関する候補文を作成し、ユーザに提示する。これにより、ユーザは、候補文を選択することで、問いかけに回答して、ツイート作成の補助を受けることができる。尚、図７に示す処理においても、ステップ７０２にて観光対象物に関してのツイートの作成を促す問いかけを出力した後、音声認識装置をオン状態にして、ユーザからの発話による回答を受ける状態を形成してもよい。この場合、ユーザからの発話による回答を受けた場合には、図４及び図５を参照して上述した態様で、ユーザからの回答に基づくツイートを作成することとしてよい。
【００５５】
また、図７に示す処理においても、図６に示したステップ６０８，６１０の処理が実行され、これらの情報を含む候補文が別に作成され、又は、これらの情報が観光対象物に関する候補文に組み込まれて、ユーザに提示されてもよい。
【００５６】
以上説明した本実施例のツイート作成補助装置１によれば、とりわけ、以下のような優れた効果が奏される。
【００５７】
上述の如く、ナビゲーション装置４０からの情報に基づいて、車両の周囲環境に関するツイートの作成を促す問いかけを出力するので、ユーザのつぶやきたい気持ちを先回りして、情報発信のトリガを適切にかけることができる。特に、車両の周囲環境の変化があったときに（例えば上記の例では、渋滞に遭遇したときや、観光対象物が視野に入ったとき）、その変化に関連するツイートの作成を促す問いかけを出力することで、この効果は顕著となる。
【００５８】
また、車両の周囲環境に関する候補文を作成し、ユーザに選択してもらうことで、ツイートを作成するので、ユーザは、簡易な操作で、投稿するツイートを完成させることができ、利便性が向上する。
【００５９】
尚、上述した実施例では、ナビゲーション装置４０からの情報に基づいて、ツイートの作成を促す問いかけを出力する際の車両の周囲環境を検出しているが、他の情報を利用して車両の周囲環境を検出してもよい。例えば、各種車載センサから得られる情報や外部からの通信で得た情報を利用することができる。また、ツイートの作成を促す問いかけを出力するのに適した車両の周囲環境の変化は、多種多様である。例えば、天気の変化が利用されてもよい。この場合、例えばレインセンサや日照センサからの情報、又は、外部からの天気情報に基づいて、車両の周囲環境として車両周辺の天気が変化した場合に、天気の変化に関連するツイートの作成を促す問いかけを出力することとしてもよい。例えば、「雨が降ってきたけど、視界はどう？」といった問いかけを出力することとしてもよい。また、車両の周囲環境の変化は、運転積算時間や運転積算距離が所定時間又は距離に達したときを含んでよい。例えば、車速センサや時計等からの情報に基づいて、運転積算時間や運転積算距離が所定時間又は距離に達した場合に、それに関連するツイートの作成を促す問いかけを出力することとしてもよい。
【００６０】
以上、本発明の好ましい実施例について詳説したが、本発明は、上述した実施例に制限されることはなく、本発明の範囲を逸脱することなく、上述した実施例に種々の変形及び置換を加えることができる。
【００６１】
例えば、上述した実施例では、ツイート作成補助装置１は、車載装置として車両に搭載されているが、車載装置以外の装置に組み込むことも可能である。例えば、ツイート作成補助装置１は、スマートフォンのような携帯電話や、タブレットのような携帯端末に組み込まれてもよい。この場合、携帯電話又は携帯端末内のツイート作成補助装置１は、携帯電話又は携帯端末に搭載するセンサからの情報、携帯電話又は携帯端末の外部からの情報（ユーザが携帯電話又は携帯端末に入力する情報を含む）に基づいて、ユーザの周辺環境を検出すればよい。
【００６２】
また、上述した実施例では、ツイート作成補助装置１は、ディスプレイ２０上に表示される画像により、ツイートの作成を促す問いかけを出力しているが、画像に代えて又は画像に加えて、音声によりツイートの作成を促す問いかけを出力してもよい。
【符号の説明】
【００６３】
１    ツイート作成補助装置
１０    処理装置
２０    ディスプレイ
２２    状態表示
２４    メニューボタン
２４ａ，２４ｂ，２４ｃ    ボタン
２６    促し表示
２８    音声認識結果表示
３０    入力装置
４０    ナビゲーション装置
【図１】
0005630577.tif 000002
【図２】
0005630577.tif 000003
【図３】
0005630577.tif 000004
【図４】
0005630577.tif 000005
【図５】
0005630577.tif 000006
【図６】
0005630577.tif 000007
【図７】
0005630577.tif 000008